(57)【要約】【課題】極めて簡単な操作で、画像データに対して所望の処理を実施することができる、画像処理装置を提供する。【解決手段】プレビュー表示部４０２は画像データ保持部４０１に保持された画像データのプレビュー画像をディスプレイ２０１に表示する。位置受付部４０３はディスプレイ２０１に表示されたプレビュー画像において、ユーザによる位置の指定を受け付ける。選択受付部４０５はユーザによる、付加情報保持部４０４に保持された付加情報の選択を受け付ける。情報付加部４０６は位置受付部４０３が受け付けた位置に、選択受付部４０５が受け付けた付加情報を付与する。画像処理部４０７は画像データ保持部４０１に保持された画像データから、情報付加部４０６により付加情報が付与されたページを抽出するとともに、当該付加情報に対応づけられた処理を実施する。【選択図】図４
2014216895.tif 000002
【特許請求の範囲】
【請求項１】
画像データを保持する画像データ保持部と、
前記画像データ保持部に保持された画像データのプレビュー画像を表示画面に表示するプレビュー表示部と、
前記表示画面に表示されたプレビュー画像において、ユーザによる位置の指定を受け付ける位置受付部と、
予め登録された付加情報を保持する付加情報保持部と、
ユーザによる、前記付加情報保持部に保持された付加情報の選択を受け付ける選択受付部と、
前記位置受付部が受け付けた位置に、前記選択受付部が受け付けた付加情報を付与する情報付加部と、
前記画像データ保持部に保持された画像データから、前記情報付加部により付加情報が付与されたページを抽出するとともに、当該付加情報に対応づけられた処理を実施する画像処理部と、
を備える画像処理装置。
【請求項２】
前記付加情報に対応づけられた処理が、印刷、データ保存、他の装置へのデータ送信、アクセス権付与の少なくとも１つである、請求項１記載の画像処理装置。
【請求項３】
前記画像処理部は、抽出した画像データのページにおける前記付加情報が付与された位置に、当該付加情報に対応するマークを付与する、請求項１記載の画像処理装置。
【発明の詳細な説明】
【技術分野】
【０００１】
本発明は、画像処理装置に関する。
【背景技術】
【０００２】
近年、オフィス等において、スキャナ、ファクシミリ、プリンタ、複写機等の機能を備える複合機（ＭＦＰ：Multi Function Peripheral）が使用されている。複合機は、例えば、ＬＡＮ（Local Area Network）等のネットワークを通じてパーソナルコンピュータ等の情報処理端末と接続された状況で使用されることが多い。そして、情報処理端末から入力された画像データを用紙上に印刷する画像形成装置として機能したり、情報処理端末において使用される画像データを取得する画像読取装置として機能したり、指定された宛先に画像データを送信するファクシミリ装置として機能したり、文書画像データを検索可能に蓄積する文書管理装置として機能したりする。
【０００３】
また、上述のような複合機には、画像データの編集機能を有するものも存在しており、このような編集機能として、ユーザの利便性を考慮した種々の技術が提案されている。例えば、特許文献１は、プレビュー表示を行いながら編集操作を行った後に、印刷コマンドデータに編集操作に基づく修正を加えたものをプリンタ装置に再送信するプレビュー表示装置を開示している。また、ページを分割し、削除、複写、貼り付け、順序移動等の編集ができるようになっている。
【０００４】
また、上述のような複合機には、不要なファイルを自動的に削除する機能を有するものも存在しており、このような自動削除機能として、ユーザの利便性を考慮した種々の技術が提案されている。例えば、特許文献２は、所定のデータをファイルとして保存する際の保存処理が中断することにより作成された作成途中ファイルを探索し、作成途中ファイルが完全なファイルである必要があり、かつ作成途中ファイルが完全なファイルでない場合に当該作成途中ファイルを削除する構成を開示している。また、作成途中ファイルが完全なファイルである必要がない場合は、作成途中ファイルを修復し、修復したファイルの名称を、修復したことが分かるように変更する。
【先行技術文献】
【特許文献】
【０００５】
【特許文献１】特開２００１−０７５９５０号公報
【特許文献２】特開２０１１−０８６０９４号公報
【発明の概要】
【発明が解決しようとする課題】
【０００６】
例えば、オフィス等では、複合機において文書を画像データ化し、当該画像データを他者に送付することが頻繁に行われている。また、このような画像データでは、すべての情報がなければ送付する意味をなさないが、送り手や受け手に本当に必要な情報は、その画像データ中のごく一部であるということもしばしば発生する。
【０００７】
例えば、資材部門等において、物品購入のために購入予定品について複数社に見積り依頼をした場合、発注先検討のため（あるいは、発注先決定過程を示すため）に、発注先決定権限を有する者等に送付する文書には、当該複数社から入手した全見積書が含まれている必要がある。しかしながら、発注先決定後に、実際に必要な情報は、所望の条件を満足する見積書（見積金額）のみであり、他の見積書等は不要な情報になる。そのため、全情報が含まれる文書から必要な情報を含むページを取り出し、その必要な情報部分にマーキングを施して保存する等の処理が行われている。
【０００８】
このような状況において、前者の文書の画像データは、例えば、複数頁の文書を複合機の画像読取機能を使用して画像データ化することで容易に作成可能である。一方、当該画像データから必要な情報を含むページを取り出し、その必要な情報部分にマーキング等を施して保存するためには、画像データにおける必要なページを印刷し、当該印刷物にマーキング等を施し、当該印刷物を画像データ化して保存する、という処理が必要になる。あるいは、上述のような編集機能により画像データの各ページを分割し、当該分割した画像データに編集機能を使用してマーキング等を施し、編集後の画像データを保存する、という処理が必要になる。
【０００９】
前者の手法の場合、印刷、画像読取、保存という工程を経る必要があるため、多くの工数が必要となり、効率的であるとはいえない。また、後者の手法では、複合機が編集機能を有している必要があり、編集機能を有していない場合は、情報処理端末上で動作する画像編集ソフト等が必要になる。また、一般に、画像データを分割すると、分割された各ページのファイル名は、特許文献２が開示するように自動的に付与されて（例えば、連番）保存されるため、マーキング等を施す際に、どのファイルが必要なページであったかが分かり難いという問題もある。そのため、後者の手法であっても、印刷の必要はないものの、多くの工数が必要となり、効率的であるとはいえない。
【００１０】
本発明は、このような従来技術の課題を鑑みてなされたものであり、極めて簡単な操作で、画像データに対して所望の処理を実施することができる、画像処理装置を提供することを目的とする。
【課題を解決するための手段】
【００１１】
上述の目的を達成するために、本発明に係る画像処理装置は、以下の技術的手段を採用している。すなわち、本発明に係る画像処理装置は、画像データ保持部、プレビュー表示部、位置受付部、付加情報保持部、選択受付部、情報付加部および画像処理部を備える。画像データ保持部は画像データを保持する。プレビュー表示部は画像データ保持部に保持された画像データのプレビュー画像を表示画面に表示する。位置受付部は表示画面に表示されたプレビュー画像において、ユーザによる位置の指定を受け付ける。付加情報保持部は予め登録された付加情報を保持する。選択受付部はユーザによる、付加情報保持部に保持された付加情報の選択を受け付ける。情報付加部は位置受付部が受け付けた位置に、選択受付部が受け付けた付加情報を付与する。画像処理部は画像データ保持部に保持された画像データから、情報付加部により付加情報が付与されたページを抽出するとともに、当該付加情報に対応づけられた処理を実施する。
【００１２】
この画像処理装置では、プレビュー画像において、ユーザが選択した位置に、ユーザが選択した付加情報を付与するだけで、当該付加情報に対応づけられた処理が、付加情報を付与した画像データのページに対して実行される。したがって、ユーザは、非常に簡単な操作により、画像データに対して所望の処理を実施することができる。なお、付加情報に対応づけられた処理は、例えば、印刷、データ保存、他の装置へのデータ送信、アクセス権付与の少なくとも１つとすることができる。
【００１３】
また、上述の画像処理装置において、画像処理部は、抽出した画像データのページにおける付加情報が付与された位置に、当該付加情報に対応するマークを付与する構成とすることもできる。
【発明の効果】
【００１４】
本発明によれば、ユーザは、極めて簡単な操作により、画像データに対して所望の処理を実施することができる。
【図面の簡単な説明】
【００１５】
【図１】本発明の一実施形態における複合機の全体構成を示す概略構成図
【図２】本発明の一実施形態における複合機の操作パネルを示す模式図
【図３】本発明の一実施形態における複合機のハードウェア構成を示す図
【図４】本発明の一実施形態における複合機を示す機能ブロック図
【図５】本発明の一実施形態における複合機が実施する付加情報付与手順の一例を示すフロー図
【図６】本発明の一実施形態における複合機が表示するプレビュー画面の一例を示す図
【図７】本発明の一実施形態における複合機が表示するプレビュー画面の一例を示す図
【図８】本発明の一実施形態における複合機が表示するプレビュー画面の一例を示す図
【図９】本発明の一実施形態における複合機が表示するプレビュー画面の一例を示す図
【図１０】本発明の一実施形態における複合機が表示するプレビュー画面の一例を示す図
【図１１】本発明の一実施形態における複合機が備える付加情報保持部に保持されている付加情報テーブルの一例を示す図
【図１２】本発明の一実施形態における複合機が表示するプレビュー画面の他の例を示す図
【図１３】本発明の一実施形態における複合機が表示するプレビュー画面においてアクセス権付与を実行する一例を示す図
【図１４】本発明の一実施形態における複合機が表示するプレビュー画面においてファクシミリ送信を実行する一例を示す図
【図１５】本発明の一実施形態における複合機が表示するプレビュー画面においてファクシミリ送信を実行する他の例を示す図
【図１６】本発明の一実施形態における複合機が表示するプレビュー画面においてファイル保存を実行する一例を示す図
【発明を実施するための形態】
【００１６】
以下、本発明の一実施形態について、図面を参照しながらより詳細に説明する。以下では、デジタル複合機として本発明を具体化する。
【００１７】
図１は本実施形態におけるデジタル複合機の全体構成の一例を示す概略構成図である。図１に示すように、複合機１００は、画像読取部１２０および画像形成部１４０を含む本体１０１と、本体１０１の上方に取り付けられたプラテンカバー１０２とを備える。本体１０１の上面には原稿台１０３が設けられており、原稿台１０３はプラテンカバー１０２によって開閉されるようになっている。また、プラテンカバー１０２は、原稿搬送装置１１０を備えている。なお、複合機１００の前面には、ユーザが複合機１００に複写開始やその他の指示を与えたり、複合機１００の状態や設定を確認したりすることができる操作パネル２００が設けられている。
【００１８】
原稿台１０３の下方には、画像読取部１２０が設けられている。画像読取部１２０は、走査光学系１２１により原稿の画像を読み取りその画像のデジタルデータ（画像データ）を生成する。原稿は、原稿台１０３や原稿搬送装置１１０に載置することができる。走査光学系１２１は、第１キャリッジ１２２や第２キャリッジ１２３、集光レンズ１２４を備える。第１キャリッジ１２２には線状の光源１３１およびミラー１３２が設けられ、第２キャリッジ１２３にはミラー１３３および１３４が設けられている。光源１３１は原稿を照明する。ミラー１３２、１３３、１３４は、原稿からの反射光を集光レンズ１２４に導き、集光レンズ１２４はその光像をラインイメージセンサ１２５の受光面に結像する。この走査光学系１２１において、第１キャリッジ１２２および第２キャリッジ１２３は、副走査方向１３５に往復動可能に設けられている。第１キャリッジ１２２および第２キャリッジ１２３を副走査方向１３５に移動することによって、原稿台１０３に載置された原稿の画像をイメージセンサ１２５で読み取ることができる。原稿搬送装置１１０にセットされた原稿の画像を読み取る場合、画像読取部１２０は、第１キャリッジ１２２および第２キャリッジ１２３を画像読取位置に合わせて一時的に固定し、画像読取位置を通過する原稿の画像をイメージセンサ１２５で読み取る。イメージセンサ１２５は、受光面に入射した光像から、例えば、Ｒ（レッド）、Ｇ（グリーン）、Ｂ（ブルー）の各色に対応する原稿の画像データを生成する。
【００１９】
生成された画像データは、画像形成部１４０において用紙に印刷することができる。また、ネットワークインターフェイス１６１によりネットワーク１６２を通じて他の機器（図示せず）へ送信することもできる。さらには、ＦＡＸインターフェイス１６３により公衆通信回線１６４を通じてファクシミリ送信することもできる。
【００２０】
画像形成部１４０は、画像読取部１２０で得た画像データ、ネットワーク１６２に接続された他の機器から受信した画像データ、あるいは公衆通信回線１６４を通じて受信した画像データを用紙に印刷する。
【００２１】
画像形成部１４０は、感光体ドラム１４１を備える。感光体ドラム１４１は一定速度で一方向に回転する。感光体ドラム１４１の周囲には、回転方向の上流側から順に、帯電器１４２、露光器１４３、現像器１４４、中間転写ベルト１４５が配置されている。帯電器１４２は、感光体ドラム１４１表面を一様に帯電させる。露光器１４３は、一様に帯電した感光体ドラム１４１の表面に、画像データに応じて光を照射し、感光体ドラム１４１上に静電潜像を形成する。現像器１４４は、その静電潜像にトナーを付着させ、感光体ドラム１４１上にトナー像を形成する。中間転写ベルト１４５は、感光体ドラム１４１上のトナー像を用紙に転写する。画像データがカラー画像である場合、中間転写ベルト１４５は、各色のトナー像を同一の用紙に転写する。なお、ＲＧＢ形式のカラー画像は、Ｃ（シアン）、Ｍ（マゼンタ）、Ｙ（イエロー）、Ｋ（ブラック）形式の画像データに変換され、各色の画像データが露光器１４３に入力される。
【００２２】
画像形成部１４０は、手差しトレイ１５１、給紙カセット１５２、１５３、１５４等から、中間転写ベルト１４５と転写ローラ１４６との間の転写部に用紙を給送する。手差しトレイ１５１や各給紙カセット１５２、１５３、１５４には、様々なサイズの用紙を載置または収容することができる。画像形成部１４０は、ユーザの指定した用紙や、自動検知した原稿のサイズに応じた用紙を選択し、選択した用紙を給送ローラ１５５により手差しトレイ１５１やカセット１５２、１５３、１５４から給紙する。給紙された用紙は搬送ローラ１５６やレジストローラ１５７で転写部に搬送される。トナー像が転写された用紙は、搬送ベルト１４７により定着器１４８に搬送される。定着器１４８は、ヒータを内蔵した定着ローラ１５８および加圧ローラ１５９を有しており、熱と押圧力によってトナー像を用紙に定着する。画像形成部１４０は、定着器１４８を通過した用紙を排紙トレイ１４９へ排紙する。
【００２３】
図２は複合機が備える操作パネルの外観の一例を示す図である。ユーザは、操作パネル２００を用いて、複合機１００に複写開始やその他の指示を与えたり、複合機１００の状態や設定を確認したりすることができる。操作パネル２００には、タッチパネル付きディスプレイ２０１や操作キー２０３が配置されている。ディスプレイ２０１は、操作ボタンやメッセージ等を表示する液晶ディスプレイ等からなる表示面と、当該表示面上の押圧位置を検出するセンサとを備える。押圧位置の検知方法は特に限定されない。抵抗膜方式、静電容量方式、表面弾性波方式、電磁波方式等、任意の方式を採用することができる。ユーザは、自身の指やタッチペン２０２を使用して、ディスプレイ２０１を通じて入力を行うことができる。
【００２４】
ディスプレイ２０１は、ボタン表示部２０４、メッセージ表示部２０５およびステータス表示部２０６を有する操作画面を表示する。ボタン表示部２０４には、複数のタブ２０８が用意されており、各タブにはそのタブのカテゴリーに応じた操作ボタンが配列されている。「簡単設定」タブは、基本的な設定に使用される操作ボタンを有する。図２の例では、用紙サイズ、複写倍率、濃度、印刷面、ページ集約、後処理を設定するための操作ボタンが配列されている。例えば「濃度」ボタン２０７を押圧する操作をユーザが行うと、濃度を選択するための「薄い」、「ふつう」、「濃い」等の選択ボタンを有するポップアップ画面がその操作ボタン上に重ねて表示され、ユーザの選択（押圧）によりその濃度が設定される。図２の例では、「簡単設定」タブの他、「原稿／用紙／仕上げ」タブ、「カラー／画質」タブ、「レイアウト／編集」タブ、「応用／その他」タブも設けられている。ユーザは、タブボタン２０８を選択する操作を行うことによって、これらのタブの表示に切り替えることができる。一つのタブが選択されている間、操作画面上で他のタブやその要素は隠れている。
【００２５】
メッセージ表示部２０５には、複写が可能か否か、複写部数などの設定をユーザに通知するメッセージが表示される。また、ステータス表示部２０６には、必要に応じて装置ステータス情報が表示される。この表示には、複合機１００が備える各種センサの検知結果が反映される。装置ステータス情報とは、装置は動作可能な状態にあるが、異常への対応を促す警告をユーザに通知するメッセージを意味する。例えば、用紙残量が少ない旨、原稿台１０３が汚れている旨、ファクシミリのメモリ受信が設定されている場合にファックス文書がメモリに格納された旨等が含まれる。また、用紙切れや搬送ジャム等が装置ステータス情報に含まれてもよい。
【００２６】
操作キー２０３は、主電源キー２０９、テンキー２１０やスタートキー２１１、クリアキー２１２等を含む。例えば、電源キー２０９は、複合機１００のＯＮ、ＯＦＦの切り替えに使用される。テンキー２１０は、複写部数の指定や複写倍率の設定に用いることができる。ユーザがそれらの設定をすると、複合機１００は、メッセージ表示部２０５に、例えば、「コピーできます（設定あり）」のようなメッセージを表示し、ユーザによる設定が行われたことを通知する。スタートキー２１１は、複写や画像印刷の開始指示に使用される。ユーザは、自身でした設定を解除する場合、クリアキー２１２を操作する。ユーザによる設定を機械が受け付けているかどうかは上述のメッセージで判断することができるので、その設定が不要になればクリアキー２１２を操作すればよい。
【００２７】
図３は、複合機における制御系のハードウェア構成図である。本実施形態の複合機１００は、ＣＰＵ（Central Processing Unit）３０１、ＲＡＭ（Random Access Memory）３０２、ＲＯＭ（Read Only Memory）３０３、ＨＤＤ（Hard Disk Drive）３０４および原稿搬送装置１１０、画像読取部１２０、画像形成部１４０における各駆動部に対応するドライバ３０５が内部バス３０６を介して接続されている。ＲＯＭ３０３やＨＤＤ３０４等はプログラムを格納しており、ＣＰＵ３０１はその制御プログラムの指令にしたがって複合機１００を制御する。例えば、ＣＰＵ３０１はＲＡＭ３０２を作業領域として利用し、ドライバ３０５とデータや命令を授受することにより上記各駆動部の動作を制御する。また、ＨＤＤ３０４は、画像読取部１２０により得られた画像データ、他の機器からネットワークインターフェイス１６１を通じて受信した画像データ、ＦＡＸインターフェイス１６３を通じて受信した画像データの蓄積にも用いられる。
【００２８】
内部バス３０６には、操作パネル２００や各種のセンサ３０７も接続されている。操作パネル２００は、ユーザの操作を受け付け、その操作に基づく信号をＣＰＵ３０１に供給する。操作パネル２００のディスプレイ２０１は、ＣＰＵ３０１からの制御信号にしたがって上述の操作画面を表示する。センサ３０７は、プラテンカバー１０２の開閉検知センサや原稿台１０３上の原稿検知センサ、定着器１４８の温度センサ、搬送される用紙または原稿の検知センサなど各種のセンサを含む。ＣＰＵ３０１は、例えばＲＯＭ３０３に格納されたプログラムを実行することで、以下の各手段（機能ブロック）を実現するとともに、これらセンサからの信号に応じて各手段の動作を制御する。
【００２９】
図４は、本実施形態の複合機の機能ブロック図である。図４に示すように、本実施形態の複合機１００は、画像データ保持部４０１、プレビュー表示部４０２、位置受付部４０３、付加情報保持部４０４、選択受付部４０５、情報付加部４０６および画像処理部４０７を備える。
【００３０】
画像データ保持部４０１は処理対象となる画像データを保持する。当該画像データは、複合機１００に格納されている画像データから選択したり、画像読取部１２０やネットワークインターフェイス１６１を通じて取得したりすることができる。なお、画像データ保持部４０１に保持される画像データは、１頁、複数頁のいずれであってもよい。なお、本実施形態では、ＲＡＭ３０２が画像データ保持部４０１として機能する。
【００３１】
プレビュー表示部４０２は画像データ保持部４０１に保持された画像データのプレビュー画像をディスプレイ２０１に表示する。当該プレビュー画像は、画像データ保持部４０１に保持された画像データに対応する画像データであり、例えば、プレビュー表示部４０２は表示に適当なサイズに画素数を減じた画像データを生成し、当該画像データをプレビュー画像としてディスプレイ２０１に表示する。
【００３２】
位置受付部４０３はディスプレイ２０１に表示されたプレビュー画像において、ユーザによる位置の指定を受け付ける。例えば、位置受付部４０３は、ディスプレイ２０１に上述のプレビュー画像が表示された状態で、プレビュー画像中で後述の付加情報を付与する位置（点あるいは領域）の指定を要求するメッセージをディスプレイ２０１に表示する。この場合、ユーザは、自身の指やタッチペン２０２を使用して、プレビュー画像上で付加情報の付与を希望する位置を指定することになる。
【００３３】
付加情報保持部４０４は予め登録された付加情報を保持する。付加情報は、特定の処理（および当該処理に付随する情報）を代表する情報であり、例えば、矢印、アンダーライン、文字、記号等の任意のシンボル（マーク）を使用することができる。特に限定されないが、本実施形態では、付加情報保持部４０４は、付加情報を付加情報テーブルとして保持している。後述するように、付加情報テーブルは、付加情報（シンボル）と、特定の処理とを対応づけて格納している。なお、付加情報に対応づけられる処理は、例えば、印刷、データ保存、他の装置へのデータ送信、アクセス権付与の少なくとも１つとすることができる。
【００３４】
選択受付部４０５はユーザによる、付加情報保持部４０４に保持された付加情報の選択を受け付ける。例えば、選択受付部４０５はディスプレイ２０１に付加情報保持部４０４に格納されている付加情報のリストを表示し、付与する付加情報の選択をユーザに要求する。この場合、ユーザは、自身の指やタッチペン２０２を使用して、ディスプレイ２０１上で付与を希望する付加情報を指定することになる。
【００３５】
情報付加部４０６は位置受付部４０３が受け付けた位置に、選択受付部４０５が受け付けた付加情報を付与する。
【００３６】
画像処理部４０７は画像データ保持部４０１に保持された画像データから、情報付加部４０６により付加情報が付与されたページを抽出するとともに、当該付加情報に対応づけられた処理を実施する。
【００３７】
また、本実施形態では、複合機１００は、動作制御部４１１および画像データ格納部４１２をさらに備えている。動作制御部４１１は、複合機１００における各種処理（画像読取処理、ファクシミリ送受信処理、画像形成処理等）の実行を制御する。すなわち、動作制御部４１１は、操作パネル２００を通じたユーザの指示、ネットワークインターフェイス１６１を通じて入力された各種指示、ＦＡＸインターフェイス１６３を通じて入力されたファクシミリ受信指示等に基づいて画像読取部１２０における画像データの生成、ＦＡＸインターフェイス１６３を通じたファクシミリ送信、画像形成部１４０における画像データの印刷等を実行する。
【００３８】
画像データ格納部４１２は、複合機１００における恒常的な画像データ格納領域である。本実施形態では、ＨＤＤ３０４が画像データ格納部４１２として機能する。
【００３９】
図５は、複合機１００が実施する付加情報付与手順の一例を示すフロー図である。当該手順は、例えば、ユーザが、操作パネル２００を通じて、付加情報付与機能を起動したことをトリガとして開始する。なお、付加情報付与機能は、例えば、図２に示す操作画面の「レイアウト／編集」タブに含まれる「付加情報付与」ボタンをユーザが押圧することで起動できる。
【００４０】
当該手順が開始すると、複合機１００（例えば、プレビュー表示部４０２）は、ユーザに処理対象画像データの指定を要求し、ユーザによる画像データの指定を待機する（ステップＳ５０１）。当該画像データの指定方法は、特に限定されない。例えば、画像データ格納部４１２に格納されている画像データを処理対象画像データに指定する場合は、画像データ格納部４１２に格納されている画像データの一覧をディスプレイ２０１に表示し、当該一覧から読み出す画像データを選択すればよい。選択された画像データは、画像データ格納部４１２から読み出されて画像データ保持部４０１に保持される。また、処理対象画像データは画像読取部１２０で読み取ることもできる。この場合、ユーザは原稿搬送装置１１０の原稿トレイに処理対象の原稿をセットし、スタートキー押下等により読取開始を複合機１００に指示する。画像読取部１２０により読み取られた画像データは画像データ保持部４０１に保持される。また、情報処理端末のような外部装置からネットワークインターフェイス１６１を通じて入力された画像データが画像データ保持部４０１に保持されてもよい。なお、画像データ保持部４０１に保持される画像データは１頁であってもよいが、ここでは複数頁である例に基づいて説明する。
【００４１】
画像データの指定が完了すると、プレビュー表示部４０２は、処理対象画像データのプレビュー画像を作成してディスプレイ２０１に表示する（ステップＳ５０２）。図６は、このときディスプレイ２０１に表示される、プレビュー画面の一例を示す図である。この例では、プレビュー画面６０１は、処理対象画像データのプレビュー画像を表示する画像表示部６０２、付加情報保持部４０４に格納されている付加情報のリストを表示する付加情報リスト表示部６０３、「完了」ボタン６０８および「キャンセル」ボタン６０９を備える。「完了」６０８は、後述の手順により付与した付加情報の付与を確定する際に使用される。「キャンセル」ボタン６０９は、操作を中止して画像データの指定に戻るために使用される。また、図６では、画像表示部６０２に４頁分のプレビュー画像が表示されている。なお、プレビュー画像には、文字や画像等の種々の情報が含まれるが、ここでは、便宜上、ページの枠線のみを表示している。
【００４２】
画像表示部６０２には、頁送りボタン６０４と頁戻りボタン６０５が配置されており、プレビュー画像が４頁以上存在する場合には、頁送りボタン６０４と頁戻りボタン６０５を操作することにより、他のページのプレビュー画像を画像表示部６０２に表示させることができる。また、画像表示部６０２は拡大表示機能を有しており、特定のページをダブルタップするとそのページのみが拡大されて画像表示部６０２に表示される。この場合、画像表示部６０２には必要に応じてスライドバーが表示される。これにより、画像表示部６０２のサイズよりも大きなプレビュー画像を画像表示部６０２に表示できる。
【００４３】
同様に、付加情報リスト表示部６０３には、頁送りボタン６０６と頁戻りボタン６０７が配置されており、頁送りボタン６０６と頁戻りボタン６０７を操作することにより、他の付加情報リストを付加情報リスト表示部６０３に表示させることができる。なお、図６の例では、「印刷・保存」のカテゴリーに区分される付加情報リストが付加情報リスト表示部６０３に表示されている。
【００４４】
プレビュー画面が表示されると、位置受付部４０３は、図６に例示するように、「付加情報付与位置を指定してください。」等の付加情報を付与する位置の指定を要求するメッセージをディスプレイ２０１に表示する。ユーザは当該要求に応じて、自身の指やタッチペン２０２を使用して、プレビュー画像上で付加情報の付与を希望する位置を指定する。図７は、ユーザによる位置選択の一例を示す図である。図７の例では、第１頁の右上部分の位置７０１をタップ等により選択している。
【００４５】
ユーザにより付加情報の付与を希望する位置を指定されると、選択受付部４０５は、図８に例示するように、「付加情報を指定してください。」等の、付与を希望する付加情報の選択を要求するメッセージをディスプレイ２０１に表示する。ユーザは当該要求に応じて、自身の指やタッチペン２０２を使用して、付加情報リスト表示部６０３に表示された付加情報リストから付与を希望する付加情報を選択する。図８の例では、「印刷・保存Ａ」に対応する、実線矢印で示される付加情報８０１をタップ等により選択している。
【００４６】
以上のようなユーザの操作により、位置受付部４０３は付与位置を認識し、選択受付部４０５は選択された付加情報を認識する。位置受付部４０３および選択受付部４０５は認識した情報を情報付加部４０６に入力する。情報付加部４０６は、画像データ保持部４０１に保持された画像データに対して、位置受付部４０３が受け付けた位置に、選択受付部４０５が受け付けた付加情報を付与する。このとき、プレビュー画面６０１では、図９に示すように、選択された付加情報が指定位置に付与されたことを示すシンボル９０１（ここでは、実線矢印）が、該当するページの該当位置に表示される。
【００４７】
ユーザは、他の位置にも付加情報の付与を希望する場合、以上の操作を繰り返し実施する。図１０では、図９に示す状態から、第３頁および第４頁に、「印刷・保存Ｂ」に対応する、有幅矢印で示される付加情報、「印刷・保存Ａ」に対応する、実線矢印で示される付加情報が付与されている。なお、本実施形態では、付加情報を選択する際に、所定時間の間、画像表示部６０２上で付加情報（シンボル）の向きを自在に変更できるようになっている。このようなシンボルの回転は、公知のインターフェイスにより実現可能であるため、ここでの詳細な説明は省略する。当該「向き」の情報は、例えば、回転角度の情報として、位置受付部４０３に認識される。
【００４８】
図１１は、付加情報保持部４０４に保持されている付加情報テーブルの一例を示す図である。図１１では、上述した「印刷・保存」のカテゴリーに対応する付加情報テーブルを示している。図１１に示すように、付加情報保持部１１０１は、付加情報（シンボル）と、特定の処理とを対応づけて格納している。特に限定されないが、図１１の例では、付加情報「実線矢印」と処理「印刷および保存」、「保存ファイル名：ｘｘｐ＿Ａ」（拡張子省略）とが対応づけて格納されている。これは、付加情報「実線矢印」が付与された場合、そのページの印刷を実行するとともに、そのページを「ｘｘｐ＿Ａ」のファイル名で保存することを示している。なお、「ｘｘ」は、元画像データのファイル名やユーザが指定した名称等の文字列であり、「ｐ」はページ番号である。また、「＿Ａ」は付加情報「印刷・保存Ａ」に対応して保存されたことを示す情報であり、ユーザがファイル名から容易に内容を認識できる機能を有している。例えば、図１０の例では、第１頁が印刷されるとともに「ｘｘ１＿Ａ」のファイル名で格納されるとともに、第４頁が印刷されるとともに「ｘｘ４＿Ａ」のファイル名で格納されることになる。
【００４９】
同様に、図１１の例では、付加情報「有幅矢印」と処理「印刷および保存」、「保存ファイル名：ｘｘｐ＿Ｂ」、付加情報「破線矢印」と処理「印刷および保存」、「保存ファイル名：ｘｘｐ＿Ｃ」とがそれぞれ対応づけて格納されている。
【００５０】
付加情報の付与を完了したユーザは、「完了」ボタン６０８を選択することにより付与完了を入力する（ステップＳ５０３Ｙｅｓ）。付与完了指示が入力されると、プレビュー表示部４０２はその旨を情報付加部４０６に通知する。本実施形態では、このとき、当該通知を受けた情報付加部４０６が、それまでに付与された付加情報（シンボル）を画像データ保持部４０１に保持された画像データに合成する。
【００５１】
付加情報（シンボル）を画像データ保持部４０１に合成した情報付加部４０６は、画像処理部４０７に付加情報の有無（ユーザにより付加情報が付与されたか否か）の情報を通知する。当該通知を受けた画像処理部４０７は、付加情報が付与されていなければ特に何もせず、そのまま手順が終了する（ステップＳ５０４Ｎｏ）。一方、付加情報が付与されている場合、画像処理部４０７は、画像データ保持部４０１に保持された画像データから、情報付加部４０６により付加情報が付与されたページを抽出するとともに、付加情報保持部４０４を参照し、付加情報に対応づけられた処理を、動作制御部４１１を通じて実施する（ステップＳ５０４Ｙｅｓ、Ｓ５０５）。
【００５２】
図１０に示す例では、第１頁、第３頁、第４頁が、付与された付加情報（シンボル）が合成された状態で画像形成部１４０において印刷されるとともに、それぞれのページが、「ｘｘ１＿Ａ」、「ｘｘ３＿Ｂ」、「ｘｘ４＿Ａ」のファイル名で、例えば、画像データ格納部４１２に格納される。
【００５３】
このように、複合機１００では、プレビュー画像において付加情報を付与するという簡単な操作をユーザが実行するだけで、画像データの所望のページに対して所望の処理を実施することができる。
【００５４】
なお、上記では、印刷と保存を同時に実行したが印刷のみを行ってもよい。また、上記では、印刷および保存の双方を画像データにシンボルを合成した状態で実施したが、例えば、印刷または保存の一方を画像データにシンボルを合成した状態で実施し、他方を画像データにシンボルを合成しない状態で実施してもよい。また、双方を画像データにシンボルを合成しない状態（すなわち、シンボルは操作上の目印）で実施してもよい。また、上記では、画像表示部６０２のプレビュー画像中に付加情報（シンボル）自体を表示する構成としたが、図１２に示すように、シンボルに対応する情報（図１２の例では、シンボルを示す情報）のみを指定された位置に表示する構成であってもよい。
【００５５】
ここで、適用可能な他の処理の例について簡単に説明する。
【００５６】
図１３は、付加情報に対応づけられた処理がアクセス権付与である例を示す図である。図１３の例では、ユーザによる頁送りボタン６０６、頁戻りボタン６０７の操作により、プレビュー画面６０１の付加情報リスト表示部６０３に「アクセス権設定保存」のカテゴリーに区分される付加情報リストが表示されている。ここでは、付加情報「実線矢印」にアクセス制限をしない（全ユーザがアクセス可能）設定である「アクセス権限Ａ」が対応づけられており、付加情報「有幅矢印」に本人（操作者）のみをアクセス可能とする設定である「アクセス権限Ｂ」が対応づけられている。
【００５７】
また、図１３では、ユーザによる上述の操作により、第１頁と第４頁に付加情報「実線矢印」と付加情報「有幅矢印」がそれぞれ付与されている。当該状態で、ユーザが「完了」ボタン６０８を選択すると、画像処理部４０７は、第１頁を抽出して「アクセス権Ａ」を設定した状態で保存するとともに、第４頁を抽出して「アクセス権Ｂ」を設定した状態で保存する。なお、ファイル名は上述の手法により付与すればよい。また、複合機１００がＷｅｂサーバ機能を有している場合は、以上のようにしてアクセス権を設定した画像データ（ファイル）を設定したアクセス権に応じてＷｅｂ上に公開し、情報処理端末等の他の装置からＷｅｂブラウザを通じて利用できるようにしてもよい。また、複合機１００が、Ｗｅｂサーバ機能を有する他の装置に生成した画像データ（ファイル）を格納する構成であっても、同様の作用効果を奏することができる。この構成では、ファイル生成後に、それぞれのファイルにアクセス権を設定するという作業を省略することができる。なお、この例においても、アクセス権を設定する画像データにシンボルを合成するか否かは任意である。
【００５８】
図１４は、付加情報に対応づけられた処理がファクシミリ送信である例を示す図である。図１４の例では、ユーザによる操作により、プレビュー画面６０１の付加情報リスト表示部６０３に「ファクシミリ送信」のカテゴリーに区分される付加情報リストが表示されている。ここでは、付加情報「実線矢印」に送信先「ＡＢＣ inc.」へのファクシミリ送信が対応づけられており、付加情報「有幅矢印」に送信先「株式会社ＡＡＡ」へのファクシミリ送信が対応づけられている。なお、各付加情報に送信先のファクシミリ番号が対応づけられていることはいうまでもない。
【００５９】
また、図１４では、ユーザによる上述の操作により、第１頁と第４頁に付加情報「実線矢印」と付加情報「有幅矢印」がそれぞれ付与されている。当該状態で、ユーザが「完了」ボタン６０８を選択すると、画像処理部４０７は、第１頁を抽出して送信先「ＡＢＣ inc.」にファクシミリ送信するとともに、第４頁を抽出して送信先「株式会社ＡＡＡ」にファクシミリ送信する。なお、この例においても、ファクシミリ送信する画像データにシンボルを合成するか否かは任意である。
【００６０】
図１５は、付加情報に対応づけられた処理がファクシミリ送信である他の例を示す図である。図１５の例では、ユーザによる操作により、プレビュー画面６０１の付加情報リスト表示部６０３に「ファクシミリ送信」のカテゴリーに区分される付加情報リストが表示されている。ここでは、付加情報「実線矢印」や付加情報「有幅矢印」に特定の送信先は対応づけられておらず、画像処理部４０７が処理を実行する際に、ファクシミリ番号を要求する構成になっている。
【００６１】
また、図１５では、ユーザによる上述の操作により、第１頁と第３頁に付加情報「実線矢印」が付与されており、第２頁と第４頁に付加情報「有幅矢印」が付与されている。当該状態で、ユーザが「完了」ボタン６０８を選択すると、画像処理部４０７は、第１頁と第３頁を抽出するとともに送信先ファクシミリ番号の指定をユーザに要求する。複合機１００が備えるアドレス帳や直接入力によりユーザがファクシミリ番号を指定すると、画像処理部４０７は、抽出した第１頁と第３頁をその送信先へファクシミリ送信する。同様に、画像処理部４０７は、第２頁と第４頁を抽出するとともに送信先ファクシミリ番号の指定をユーザに要求する。ユーザがファクシミリ番号を指定すると、画像処理部４０７は、抽出した第２頁と第４頁をその送信先へファクシミリ送信する。
【００６２】
以上の構成では、複数ページからなる画像データに加工を施すことなく、所望のページを所望の送信先にファクシミリ送信することができる。また、原稿が紙媒体であっても、送信先ごとに必要なページを抜き出す作業が不要になる。なお、この例においても、ファクシミリ送信する画像データにシンボルを合成するか否かは任意である。
【００６３】
図１６は、付加情報に対応づけられた処理がファイル保存である例を示す図である。図１６の例では、ユーザによる操作により、プレビュー画面６０１の付加情報リスト表示部６０３に「保存」のカテゴリーに区分される付加情報リストが表示されている。ここでは、付加情報「実線矢印」にフォルダＡに画像データを保存する「保存：フォルダＡ」が対応づけられており、付加情報「有幅矢印」にフォルダＢに画像データを保存する「保存：フォルダＢ」が対応づけられている。
【００６４】
また、図１６では、ユーザによる上述の操作により、第１頁と第３頁に付加情報「実線矢印」が付与されており、第２頁と第４頁に付加情報「有幅矢印」が付与されている。当該状態で、ユーザが「完了」ボタン６０８を選択すると、画像処理部４０７は、第１頁と第３頁を抽出して、各画像データを画像データ格納部４１２に設けられたフォルダＡに格納する。同様に、画像処理部４０７は、第２頁と第４頁を抽出して、各画像データを画像データ格納部４１２に設けられたフォルダＢに格納する。なお、ファイル名は上述の手法により付与すればよい。
【００６５】
以上説明したように、この複合機１００では、プレビュー画像において、ユーザが選択した位置に、ユーザが選択した付加情報を付与するだけで、当該付加情報に対応づけられた処理が、付加情報を付与した画像データのページに対して実行される。したがって、ユーザは、非常に簡単な操作により、画像データに対して所望の処理を実施することができる。
【００６６】
なお、上述した実施形態は本発明の技術的範囲を制限するものではなく、既に記載したもの以外でも、本発明の範囲内で種々の変形や応用が可能である。例えば、上記実施形態では、画像処理装置である複合機の操作パネルを通じた操作に基づいて説明をしたが、当該複合機と通信可能に接続されたパーソナルコンピュータ等の情報処理端末を介して複合機に対する操作が行われてもよい。この場合、上述の実施形態における操作パネル２００のディスプレイ２０１の機能は、情報処理端末が具備する、ディスプレイ等の表示手段およびキーボード等の入力手段により提供される。
【００６７】
また、上述した各処理は例示であり、上述の処理を組み合わせた処理や他の処理の実行に本発明を適用してもよい。さらに、図５に示すフローチャートは、等価な作用を奏する範囲において適宜変更可能である。
【００６８】
加えて、上述の実施形態では、デジタル複合機として本発明を具体化したが、デジタル複合機に限らず、プリンタ、複写機等の画像形成装置をはじめとする任意の画像処理装置に本発明を適用することも可能である。
【産業上の利用可能性】
【００６９】
本発明によれば、ユーザは、極めて簡単な操作により、画像データに対して所望の処理を実施することができ、画像処理装置として有用である。
【符号の説明】
【００７０】
１００  複合機（画像処理装置）
２００  操作パネル
２０１  ディスプレイ（表示画面）
４０１  画像データ保持部
４０２  プレビュー表示部
４０３  位置受付部
４０４  付加情報保持部
４０５  選択受付部
４０６  情報付加部
４０７  画像処理部
４１２  画像データ格納部
【図１】
2014216895.tif 000003
【図２】
2014216895.tif 000004
【図３】
2014216895.tif 000005
【図４】
2014216895.tif 000006
【図５】
2014216895.tif 000007
【図６】
2014216895.tif 000008
【図７】
2014216895.tif 000009
【図８】
2014216895.tif 000010
【図９】
2014216895.tif 000011
【図１０】
2014216895.tif 000012
【図１１】
2014216895.tif 000013
【図１２】
2014216895.tif 000014
【図１３】
2014216895.tif 000015
【図１４】
2014216895.tif 000016
【図１５】
2014216895.tif 000017
【図１６】
2014216895.tif 000018